(57)【要約】【課題】  従来、盗電を防止する屋外用コンセント等は、盗電機能の高いものは価格が高く、価格の低いものは、盗電機能が低く、感電事故を未然に防ぐことができなかった。【解決手段】  電路を通電、遮断するキースイッチを備える手段、センサでコンセント本体部が取り外されていることを検出して電路を遮断する手段、センサで遮断位置を検出して電路を遮断する手段、ＩＤタグに予め登録された情報を認識して給電する手段等を備えるようにした。【選択図】        図１
2011008947.tif 000002
【特許請求の範囲】
【請求項１】
プラグを抜き差しするプラグ受け部を備えており、
鍵を用いて第１の錠位置および第２の錠位置を切り替える錠前と、
前記第１の錠位置において前記プラグ受け部への通電をオン状態とし前記第２の錠位置において前記プラグ受け部への通電をオフ状態にする電路開閉手段と、
を備えていることを特徴とする屋外用コンセント。
【請求項２】
前記プラグ受け部が収容体に収容されており、
前記収容体が、所定のねじによって、屋内側から壁面に固定されるように形成されていることを特徴とする請求項１に記載の屋外用コンセント。
【請求項３】
前記プラグ受け部が第１の収容体に収容されており、
前記錠前および電路開閉手段が第２の収容体に収容されており、
前記第２の収容体が前記プラグの抜き差しを視認できる位置に配置されていることを特徴とする請求項１に記載の屋外用コンセント。
【請求項４】
前記第１の収容体および前記第２の収容体が、所定のねじによって、屋内側から壁面に固定されるように形成されていることを特徴とする請求項３に記載の屋外用コンセント。
【請求項５】
請求項１乃至請求項４のいずれか１つに記載の屋外用コンセントを有しており、
太陽光発電を行う太陽電池と、
前記太陽電池の直流系統ごとに配線を接続し１つにまとめる接続箱と、
前記接続箱の直流電力を交流電力に変換する交流変換装置と、
を備えており、
前記屋外用コンセントが、前記交流変換装置から給電されることを特徴とする屋外用コンセントシステム。
【請求項６】
電源から給電線を経由して給電される請求項１の屋外用コンセントと、
前記給電線の途中に接続されて継電および遮断のいずれかを行う継電器と、
前記給電線を屋外側から引き出せる状態であることを検出する引き出し状態検出センサと、
前記引き出し状態検出センサの検出信号に基づいて前記継電器を制御する制御手段と、
を備えており、
前記引き出し状態検出センサが前記給電線を引き出せる状態を検出した場合に、前記制御手段が、前記継電器を制御して前記プラグ受け部への給電を遮断することを特徴とする屋外用コンセントシステム。
【請求項７】
電源から給電線を経由して給電される請求項１の屋外用コンセントと、
前記給電線の途中に接続されて継電および遮断のいずれかを行う継電器と、
を有しており、
前記第１の錠位置および前記第２の錠位置を切り替える切替手段と、
前記第１の錠位置および前記第２の錠位置を検出する錠位置検出センサと、
前記錠位置検出センサの検出信号に基づいて継電器を制御する制御手段と、
を備えており、
前記錠位置検出センサが前記第１の錠位置を検出した場合には、前記制御手段が前記プラグ受け部へ給電するように前記継電器を制御し、
前記錠位置検出センサが前記第２の錠位置を検出した場合には、前記制御手段が前記プラグ受け部への給電を遮断するように前記継電器を制御することを特徴とする屋外用コンセントシステム。
【請求項８】
プラグを抜き差しするプラグ受け部を備え電源から給電線を経由して給電される屋外用コンセントと、
前記給電線の途中に接続されて継電および遮断のいずれかを行う継電器と、
を有しており、
前記屋外用コンセントが、鍵を用いて第１の錠位置および第２の錠位置を切り替える錠前を備えており、
前記第１の錠位置および前記第２の錠位置を検出する錠位置検出センサと、
前記錠位置検出センサの検出信号に基づいて継電器を制御する制御手段と、
を備えており、
前記錠位置検出センサが前記第１の錠位置である場合には、前記制御手段が前記プラグ受け部へ給電するように前記継電器を制御し、
前記錠位置検出センサが前記遮第２の錠位置である場合には、前記制御手段が前記プラグ受け部への給電を遮断するように前記継電器を制御することを特徴とする屋外用コンセントシステム。
【請求項９】
電源から給電線を経由して給電されプラグを抜き差しするプラグ受け部と、
前記給電線の途中に接続され継電および遮断のいずれかを行う継電器と、
を有しており、
ＩＤタグの情報を読み取るＩＤ情報取得手段と、
前記ＩＤ情報取得手段に予め登録された情報と前記ＩＤタグの情報を比較して前記プラグ受け部への通電を制御する制御手段と、
を備えており、
前記ＩＤタグの情報が、前記ＩＤ情報取得手段に予め登録された通電許可情報である場合には、前記制御手段が前記プラグ受け部へ給電するように前記継電器を制御し、
前記ＩＤタグの情報が、前記ＩＤ情報取得手段に予め登録された通電許可情報でない場合には、前記制御手段が前記プラグ受け部への給電を遮断するように前記継電器を制御することを特徴とする屋外用コンセントシステム。
【請求項１０】
電源から給電線を経由して給電されプラグを抜き差しするプラグ受け部と、
前記給電線の途中に接続され継電および遮断のいずれかを行う継電器と、
を有しており、
磁気情報記憶体の情報を読み取る磁気情報取得手段と、
前記磁気情報取得手段に予め登録された情報と前記磁気情報記憶体の情報を比較して前記プラグ受け部への通電を制御する制御手段と、
を備えており、
前記磁気情報記憶体の情報が、前記情報取得手段に予め登録された通電許可情報である場合には、前記制御手段が前記プラグ受け部へ給電するように前記継電器を制御し、
前記磁気情報記憶体の情報が、前記情報取得手段に予め登録された通電許可情報でない場合には、前記制御手段が前記プラグ受け部への給電を遮断するように前記継電器を制御することを特徴とする屋外用コンセントシステム。
【請求項１１】
電源から給電線を経由して給電されプラグを抜き差しするプラグ受け部と、
前記プラグ受け部を覆い扉部を有する函体と、
前記扉部を施錠する施錠手段と、
を備えており、
前記扉部を施錠した場合には、前記扉部が前記プラグ受け部に前記プラグを抜き差しすることを阻止するように構成されており、
前記扉部を開いた場合には、前記プラグ受け部に前記プラグを抜き差しすることができるように構成されており、
前記函体が、前記函体の内部から壁面に所定の固定手段により固定される構造であることを特徴とする屋外用コンセントシステム。
【請求項１２】
電源から給電線を経由して給電され、プラグを抜き差しするプラグ受け部と、
前記給電線の途中に設けられて前記プラグ受け部への給電および前記プラグ受け部への給電の遮断のいずれかを行うスイッチと、
前記スイッチを覆うとともに扉部を有する函体と、
前記扉部を施錠する施錠手段と、
を備えており、
前記函体が、前記函体の内部から壁面に所定の固定手段により固定される構造であることを特徴とする屋外用コンセントシステム。
【請求項１３】
請求項６乃至請求項１２のいずれか１つに記載の屋外用コンセントにおいて、さらに太陽光発電を行う太陽電池と、
前記太陽電池の直流系統ごとに配線を接続し１つにまとめる接続箱と、
前記接続箱の直流電力を交流電力に変換する交流変換装置と、
を備えており、
前記プラグ受け部が、前記交流変換装置から給電されることを特徴とする屋外用コンセントシステム。
【請求項１４】
屋外用コンセントを覆い、扉部を有する函体と、
前記扉部を施錠する施錠手段と、
を備えており、
前記扉部を施錠した場合には、前記扉部が前記プラグ受け部に前記プラグを抜き差しすることを阻止するように構成されており、
前記扉部を開いた場合には、前記プラグ受け部に前記プラグを抜き差しすることができるように構成されており、
前記函体が、前記函体の内部から壁面に所定の固定手段により固定される構造であることを特徴とする屋外用コンセントカバー。
【発明の詳細な説明】
【技術分野】
【０００１】
本発明は、プラグインハイブリット車、プラグイン電気自動車、自動販売機、カーポートの照明、芝刈り機等の電気機器等に対する電気供給のために、屋外壁面等に固定される屋外用コンセントに関するものである。
【背景技術】
【０００２】
近年、プラグインハイブリット自動車、プラグイン電気自動車が開発され、上記自動車は、屋外壁面等に固定される屋外コンセントから給電することが可能になった。しかし、上記屋外コンセントは盗電に合い易く、その対策の一例として、屋内に設置された遮断器（例えば、ノーヒューズ配線用遮断器）をいちいち遮断することが必要であった。そこで、遮断器を遮断せずとも、盗電を防止するものが特許出願されている。上記遮断器は、通常、屋内に設置されている。
【０００３】
例えば、屋外壁面に固定される取付プレートと、電源プラグ差し込み口を取り込む庇部を有し、取付プレートを方位する防水部材で水封されて、取付プレートに対してねじ止めされるコンセント本体と、電源プラグ差し込み口に差し込まれた電源プラグを包囲するための盗電防止カバーと、取付プレートにおけるコンセント本体ねじ止め用のねじ孔を利用して盗電カバをコンセント本体に取り外し可能に止着するカバー止着手段を備えたものが出願されている。（例えば、特許文献１参照）。
【０００４】
上記特許文献１のものは、カバーを六角ボルトで止着するか、あるいは凹部が形成されたカバーをボルトで止着した後に、コルクなどからなる栓体で凹部に圧入するか、あるいは凹部が形成されたカバーに弾性係止片を設け、この弾性係止片に栓体を圧入するようにしている。
【０００５】
また、車両用バッテリに充電を行うとき、電力線を使って充電制御ＥＣＵとＩＤボックスとの間で認証を行い、認証が成立することを条件にバッテリへの充電を許可するものが出願されている。（例えば、特許文献２参照）。
【０００６】
一方、盗電を防止するものではないが、防水カバーに、コンセントブロックのコンセント部の電源極側差込口への通電をオン、オフするスイッチの操作ハンドルを設け、電機機器への電源をオン／オフすることができる防水コンセントが提供されている。（例えば、特許文献３参照）
【先行技術文献】
【特許文献】
【０００７】
【特許文献１】特開２００５−２５９４１１号公報
【特許文献２】特開２００８−６１４３２号公報
【特許文献３】特開２００４−３９３９９号公報
【発明の概要】
【発明が解決しようとする課題】
【０００８】
しかし、特許文献１の野外コンセント用の盗難防止装置は、カバーを六角ボルトで止着する場合では、市販されている六角レンチを用いて屋外側から容易に六角ボルト、カバーを取り外すことができる。また、凹部が形成されたカバーをボルトで止着した後にコルクなどからなる栓体で凹部に圧入する場合においても、鋭利な刃具、ドライバ等で栓体を外すことは容易であり、屋外側から容易に栓体、六角ボルト、カバーを取り外すことができる。さらに、凹部が形成されたカバーに弾性係止片を設け、この弾性係止片に栓体を圧入するようにした場合も、同様に、栓体を容易に取り外すことができる。このため、上記いずれの場合も、盗電が容易に行える問題点があった。
【０００９】
また、特許文献２の充電システムは、充電制御ＥＣＵとＩＤボックスとの間で認証を行うことで盗電を防止することができ、信頼性も高いが、他の電気機器（例えば、自動販売機、カーポートの照明、芝刈り機、電気自動車用蓄電池に充電する充電装置等）の電気機器を使用することができず、しかも非常に高価であった。また、装置も複雑であった。
【００１０】
また、特許文献３の防水コンセントは、コンセントブロックの手元でコンセント部の電源極側差込口への通電をオン、オフすることができるので、従来のように、屋内にある遮断器をオンした場合に発生し得る感電事故を防止できるが、盗電を防止することができない。上記感電事故とは、例えば、子供が細い金属片を電源極側差込口に突っ込んだ状態で、気づかずに室内の遮断器をオンして子供が感電する事故等である。
【００１１】
また、特許文献１乃至特許文献３のいずれかの屋外用コンセントは、商用電源を利用するようにしているので、環境に配慮した給電を行う屋外用コンセントシステムがなかった。
【００１２】
本発明は上記点に鑑み、電気の盗難を低減するとともに、電気自動車および電気機器の両方が使用できる屋外用コンセント、屋外用コンセントシステム、屋外用コンセント用カバーのいずれかを提供することを第１の目的とする。なお、上記第１の目的の電気自動車には、プラグインハイブリット自動車を含むものとする。
【００１３】
また、本発明は上記点に鑑み、低コストで、電気の盗難を低減する屋外用コンセント、屋外用コンセントシステム、屋外用コンセント用カバーのいずれかを提供することを第２の目的とする。
【００１４】
また、本発明は上記点に鑑み、感電事故を未然に防ぎ、電気の盗難を低減する屋外用コンセント、屋外用コンセントシステム、屋外用コンセント用カバーのいずれかを提供することを第３の目的とする。
【００１５】
また、本発明は上記点に鑑み、環境に配慮した給電を行う屋外用コンセントシステムを提供することを第４の目的とする。
【課題を解決するための手段】
【００１６】
本発明は、上記目的を達成するために、請求項１に記載の発明では、プラグを抜き差しするプラグ受け部を備えており、
鍵を用いて第１の錠位置および第２の錠位置を切り替える錠前と、
第１の錠位置においてプラグ受け部への通電をオン状態とし第２の錠位置においてプラグ受け部への通電をオフ状態にする電路開閉手段と、
を備えていることを特徴とする。
【００１７】
これによれば、鍵を用いて第１の錠位置にすると、電路開閉手段により、プラグ受け部への通電をオン状態にすることができる。また、鍵を用いて第２の錠位置にすると、電路開閉手段により、プラグ受け部への通電をオフ状態にすることができる。つまり、プラグ受け部への通電をオンするには、鍵が必要になるため、電気の盗難を低減することができる。給電を必要としないときには、錠前の第２の錠位置にする。プラグ受け部への通電のオン／オフは、錠前、電路開閉手段を用いているので、電力線を使って充電制御ＥＣＵとＩＤボックスとの間で認証を行い、認証が成立することを条件にバッテリへの充電を許可するものに比べて、コストを低減することができる。また、充電制御ＥＣＵとＩＤボックスとの間で認証を行うことなく、鍵で通電、遮断を行うので、電気自動車だけでなく、電気機器にも給電をすることができる。
【００１８】
その結果、電気の盗難を低減するとともに、電気自動車および電気機器の両方が使用できる屋外用コンセントを提供することができる。また、充電制御ＥＣＵとＩＤボックスとの間で認証を行うものに比較して、低コストで、電気の盗難を低減する屋外用コンセントを提供することができる。
【００１９】
また、プラグ受け部の手元で、プラグ受け部への通電のオン／オフをできるので、プラグ受け部におけるオン時の危険性を察知、あるいは回避をすることができる。従来、主配線用主遮断器の下流側に屋外用コンセント用の配線用遮断器を、屋内に設けて、プラグ受け部への通電をオン／オフするようにした場合では、いちいち屋内に移動し、配線用遮断器を手動でオン／オフする必要が生じ、しかも、屋内でオン／オフオン／オフするため、子供がプラグ受けに金属片などを差し込んで遊んでいる場合などの危険を察知することができなかった。
【００２０】
その結果、感電事故を未然に防ぎ、電気の盗難を低減する屋外用コンセントを提供することができる。
【００２１】
請求項２に記載の発明では、請求項１において、プラグ受け部が収容体に収容されており、
収容体が、所定のねじによって、屋内側から壁面に固定されるように形成されていることを特徴とする。
【００２２】
これによれば、屋外側から所定のねじを取り外すことができないので、電気の盗難を低減する屋外用コンセントを提供することができる。
【００２３】
請求項３に記載の発明では、請求項１において、プラグ受け部が第１の収容体に収容されており、
錠前および電路開閉手段が第２の収容体に収容されており、
第２の収容体がプラグの抜き差しを視認できる位置に配置されていることを特徴とする。
【００２４】
上記構成によれば、従来の屋外用コンセントに、錠前および電路開閉手段が収容された第２の収容体に後付けすることができる。第１の収容体、第２の収容体の両方を新設してもよい。また、請求項１と同様に、電気の盗難を低減するとともに、電気自動車および電気機器の両方が使用できる屋外用コンセントを提供することができる。また、充電制御ＥＣＵとＩＤボックスとの間で認証を行うものに比較して、低コストで、電気の盗難を低減する屋外用コンセントを提供することができる。
【００２５】
また、プラグの抜き差しを視認できる位置で、プラグ受け部への通電のオン／オフをできるので、プラグ受け部におけるオン時の危険性を察知、あるいは回避をすることができる。その結果、感電事故を未然に防ぎ、電気の盗難を低減する屋外用コンセントを提供することができる。
【００２６】
請求項４に記載の発明では、請求項３において、第１の収容体および第２の収容体が、所定のねじによって、屋内側から壁面に固定されるように形成されていることを特徴とする。
【００２７】
これによれば、屋外側から所定のねじを取り外すことができないので、電気の盗難を低減する屋外用コンセントを提供することができる。
【００２８】
請求項５に記載の発明では、請求項１乃至請求項４のいずれか１つに記載の屋外用コンセントを有しており、
太陽光発電を行う太陽電池と、
太陽電池の直流系統ごとに配線を接続し１つにまとめる接続箱と、
接続箱の直流電力を交流電力に変換する交流変換装置と、
を備えており、
屋外用コンセントが、交流変換装置から給電されることを特徴とする。
【００２９】
これによれば、太陽電池により太陽光から発電して屋外用コンセントに給電する屋外用コンセントシステムを提供することができる。その結果、環境に配慮した給電を行う屋外用コンセントシステムを提供することができる。
【００３０】
請求項６に記載の発明では、電源から給電線を経由して給電される請求項１の屋外用コンセントと、
給電線の途中に接続されて継電および遮断のいずれかを行う継電器と、
給電線を屋外側から引き出せる状態であることを検出する引き出し状態検出センサと、
引き出し状態検出センサの検出信号に基づいて継電器を制御する制御手段と、
を備えており、
引き出し状態検出センサが給電線を引き出せる状態を検出した場合に、制御手段が、継電器を制御してプラグ受け部への給電を遮断することを特徴とする。
【００３１】
これによれば、検出センサが給電線を引き出せる状態を検出した場合に、制御手段が継電器を制御してプラグ受け部への給電を遮断できるので、電気の盗難を防止することができる。また、上記構成では、充電制御ＥＣＵとＩＤボックスとの間で認証を行うものに比較して、低コストで、電気の盗難を低減する屋外用コンセントシステムを提供することができる。また、鍵で通電、遮断を行うので、電気自動車だけでなく、電気機器にも給電をすることができる。
【００３２】
また、プラグ受け部の手元で、プラグ受け部への通電のオン／オフをできるので、プラグ受け部におけるオン時の危険性を察知、あるいは回避をすることができる。その結果、感電事故を未然に防ぎ、電気の盗難を低減する屋外用コンセントシステムを提供することができる。
【００３３】
請求項７に記載の発明では、電源から給電線を経由して給電される請求項１の屋外用コンセントと、
給電線の途中に接続されて継電および遮断のいずれかを行う継電器と、
を有しており、
第１の錠位置および第２の錠位置を切り替える切替手段と、
第１の錠位置および第２の錠位置を検出する錠位置検出センサと、
錠位置検出センサの検出信号に基づいて継電器を制御する制御手段と、
を備えており、
錠位置検出センサが第１の錠位置を検出した場合には、制御手段がプラグ受け部へ給電するように継電器を制御し、
錠位置検出センサが第２の錠位置を検出した場合には、制御手段がプラグ受け部への給電を遮断するように継電器を制御することを特徴とする。
【００３４】
これによれば、第１の錠位置にした場合、錠位置検出センサが第１の錠位置であることを検出し、制御手段がプラグ受け部へ給電するように継電器を制御することができる。また、第２の錠位置にした場合、錠位置検出センサが第２の錠位置であることを検出し、制御手段がプラグ受け部への給電を遮断するように継電器を制御することができる。プラグ受け部への通電をオンするには、鍵が必要になるため、電気の盗難を低減することができる。給電を必要としないときには、鍵を用いて第２の錠位置にする。また、錠位置検出センサが第１の錠位置、第２の錠位置を検出して、制御手段が継電器を制御するので、安価な構成で電気の盗難を低減することができる。プラグ受け部への通電のオン／オフは、錠前、電路開閉手段、継電器、制御装置から構成されてなるを用いているので、電力線を使って充電制御ＥＣＵとＩＤボックスとの間で認証を行い、認証が成立することを条件にバッテリへの充電を許可するものに比べて、コストを低減することができる。また、鍵で通電、遮断を行うので、電気自動車だけでなく、電気機器にも給電をすることができる。
【００３５】
その結果、電気の盗難を低減するとともに、電気自動車および電気機器の両方が使用できる屋外用コンセントを提供することができる。また、充電制御ＥＣＵとＩＤボックスとの間で認証を行うものに比較して、低コストで、電気の盗難を低減する屋外用コンセントを提供することができる。
【００３６】
また、プラグ受け部の手元で、プラグ受け部への通電のオン／オフをできるので、プラグ受け部におけるオン時の危険性を察知、あるいは回避をすることができる。その結果、感電事故を未然に防ぎ、電気の盗難を低減する屋外用コンセントを提供することができる。
【００３７】
請求項８に記載の発明では、プラグを抜き差しするプラグ受け部を備え電源から給電線を経由して給電される屋外用コンセントと、
給電線の途中に接続されて継電および遮断のいずれかを行う継電器と、
を有しており、
屋外用コンセントが、鍵を用いて第１の錠位置および第２の錠位置を切り替える錠前を備えており、
第１の錠位置および第２の錠位置を検出する錠位置検出センサと、
錠位置検出センサの検出信号に基づいて継電器を制御する制御手段と、
を備えており、
錠位置検出センサが第１の錠位置である場合には、制御手段がプラグ受け部へ給電するように継電器を制御し、
錠位置検出センサが遮第２の錠位置である場合には、制御手段がプラグ受け部への給電を遮断するように継電器を制御することを特徴とする。
【００３８】
これによれば、第１の錠位置にした場合、錠位置検出センサが第１の錠位置であることを検出し、制御手段がプラグ受け部へ給電するように継電器を制御することができる。また、第２の錠位置にした場合、錠位置検出センサが第２の錠位置であることを検出し、制御手段がプラグ受け部への給電を遮断するように継電器を制御することができる。プラグ受け部への通電をオンするには、鍵が必要になるため、電気の盗難を低減することができる。給電を必要としないときには、鍵を用いて第２の錠位置にすればよい。また、錠位置検出センサが第１の錠位置、第２の錠位置を検出して、制御手段が、継電器を制御する安価な構成で電気の盗難を低減することができる。プラグ受け部への通電のオン／オフは、錠前、電路開閉手段、継電器、制御装置から構成されてなるを用いているので、電力線を使って充電制御ＥＣＵとＩＤボックスとの間で認証を行い、認証が成立することを条件にバッテリへの充電を許可するものに比べて、コストを低減することができる。また、鍵で通電、遮断を行うので、電気自動車だけでなく、電気機器にも給電をすることができる。
【００３９】
その結果、電気の盗難を低減するとともに、電気自動車および電気機器の両方が使用できる屋外用コンセントを提供することができる。また、充電制御ＥＣＵとＩＤボックスとの間で認証を行うものに比較して、低コストで、電気の盗難を低減する屋外用コンセントシステムを提供することができる。
【００４０】
また、プラグ受け部の手元で、プラグ受け部への通電のオン／オフをできるので、プラグ受け部におけるオン時の危険性を察知、あるいは回避をすることができる。その結果、感電事故を未然に防ぎ、電気の盗難を低減する屋外用コンセントシステムを提供することができる。
【００４１】
請求項９に記載の発明では、電源から給電線を経由して給電されプラグを抜き差しするプラグ受け部と、
給電線の途中に接続され継電および遮断のいずれかを行う継電器と、
を有しており、
ＩＤタグの情報を読み取るＩＤ情報取得手段と、
ＩＤ情報取得手段に予め登録された情報とＩＤタグの情報を比較してプラグ受け部への通電を制御する制御手段と、
を備えており、
ＩＤタグの情報が、ＩＤ情報取得手段に予め登録された通電許可情報である場合には、制御手段がプラグ受け部へ給電するように継電器を制御し、
ＩＤタグの情報が、ＩＤ情報取得手段に予め登録された通電許可情報でない場合には、制御手段がプラグ受け部への給電を遮断するように継電器を制御することを特徴とする。
【００４２】
これによれば、ＩＤタグの情報が、情報取得手段に予め登録された通電許可情報である場合には、制御手段がプラグ受け部へ給電するように継電器を制御することができる。また、ＩＤタグの情報が、情報取得手段に予め登録された通電許可情報でない場合には、制御手段がプラグ受け部への給電を遮断するように継電器を制御して、電気の盗難を低減することができる。また、ＩＤタグ、情報取得手段を用いているので安価に構成でき、電力線を使って充電制御ＥＣＵとＩＤボックスとの間で認証を行い、認証が成立することを条件にバッテリへの充電を許可するものに比べて、各段にコストを低減することができる。また、ＩＤタグで通電、遮断を行うので、電気自動車だけでなく、電気機器にも給電をすることができる。
【００４３】
その結果、電気の盗難を低減するとともに、電気自動車および電気機器の両方が使用できる屋外用コンセントを提供することができる。また、充電制御ＥＣＵとＩＤボックスとの間で認証を行うものに比較して、低コストで、電気の盗難を低減する屋外用コンセントを提供することができる。
【００４４】
また、プラグ受け部の手元で、プラグ受け部への通電のオン／オフをできるので、プラグ受け部におけるオン時の危険性を察知、あるいは回避をすることができる。その結果、感電事故を未然に防ぎ、電気の盗難を低減する屋外用コンセントを提供することができる。
【００４５】
請求項１０に記載の発明では、電源から給電線を経由して給電されプラグを抜き差しするプラグ受け部と、
給電線の途中に接続され継電および遮断のいずれかを行う継電器と、
を有しており、
磁気情報記憶体の情報を読み取る磁気情報取得手段と、
磁気情報取得手段に予め登録された情報と磁気情報記憶体の情報を比較してプラグ受け部への通電を制御する制御手段と、
を備えており、
磁気情報記憶体の情報が、情報取得手段に予め登録された通電許可情報である場合には、制御手段がプラグ受け部へ給電するように継電器を制御し、
磁気情報記憶体の情報が、情報取得手段に予め登録された通電許可情報でない場合には、制御手段がプラグ受け部への給電を遮断するように継電器を制御することを特徴とする。
【００４６】
これによれば、磁気情報記憶体の情報が、磁気情報取得手段に予め登録された通電許可情報である場合には、制御手段がプラグ受け部へ給電するように継電器を制御することができる。また、磁気情報記憶体の情報が、磁気情報取得手段に予め登録された通電許可情報でない場合には、制御手段がプラグ受け部への給電を遮断するように継電器を制御することができるので、電気の盗難を低減することができる。また、磁気情報記憶体、磁気情報取得手段を用いているので、安価に構成でき、電力線を使って充電制御ＥＣＵとＩＤボックスとの間で認証を行い、認証が成立することを条件にバッテリへの充電を許可するものに比べて、コストを低減することができる。また、磁気情報で通電、遮断を行うので、電気自動車だけでなく、電気機器にも給電をすることができる。
【００４７】
その結果、電気の盗難を低減するとともに、電気自動車および電気機器の両方が使用できる屋外用コンセントを提供することができる。また、充電制御ＥＣＵとＩＤボックスとの間で認証を行うものに比較して、低コストで、電気の盗難を低減する屋外用コンセントを提供することができる。
【００４８】
また、プラグ受け部の手元で、プラグ受け部への通電のオン／オフをできるので、プラグ受け部におけるオン時の危険性を察知、あるいは回避をすることができる。その結果、感電事故を未然に防ぎ、電気の盗難を低減する屋外用コンセントを提供することができる。
【００４９】
請求項１１に記載の発明では、電源から給電線を経由して給電されプラグを抜き差しするプラグ受け部と、
プラグ受け部を覆い扉部を有する函体と、
扉部を施錠する施錠手段と、
を備えており、
扉部を施錠した場合には、扉部がプラグ受け部にプラグを抜き差しすることを阻止するように構成されており、
扉部を開いた場合には、プラグ受け部にプラグを抜き差しすることができるように構成されており、
函体が、函体の内部から壁面に所定の固定手段により固定される構造であることを特徴とする。
【００５０】
これによれば、扉部を開いた場合にのみ、プラグ受け部にプラグを抜き差しすることができる。また、函体が、函体の内部から壁面にねじ固定される構造であるため、扉部を施錠した場合に、ねじを取り外すことができない。その結果、電気の盗難を低減する屋外用コンセントシステムを提供することができる。
【００５１】
請求項１２に記載の発明では、電源から給電線を経由して給電され、プラグを抜き差しするプラグ受け部と、
給電線の途中に設けられてプラグ受け部への給電およびプラグ受け部への給電の遮断のいずれかを行うスイッチと、
スイッチを覆うとともに扉部を有する函体と、
扉部を施錠する施錠手段と、
を備えており、
函体が、函体の内部から壁面に所定の固定手段により固定される構造であることを特徴とする。
【００５２】
これによれば、扉部を開き、スイッチによって給電するようにした場合にのみ給電することができる。電気の盗難を防止するには、扉部を閉じる際に、スイッチによってプラグ受け部への給電を遮断する。函体は、函体の内部から壁面にねじ固定される構造であるため、扉部を施錠した場合に、ねじを取り外すことができない。その結果、電気の盗難を低減する屋外用コンセントシステムを提供することができる。
【００５３】
請求項１３に記載の発明では、請求項６乃至請求項１２のいずれか１つに記載の屋外用コンセントにおいて、さらに太陽光発電を行う太陽電池と、
太陽電池の直流系統ごとに配線を接続し１つにまとめる接続箱と、
接続箱の直流電力を交流電力に変換する交流変換装置と、
を備えており、
プラグ受け部が、交流変換装置から給電されることを特徴とする。
【００５４】
これによれば、太陽電池により太陽光から発電してプラグ受け部に給電する屋外用コンセントシステムを提供することができる。その結果、環境に配慮した給電を行う屋外用コンセントシステムを提供することができる。
【００５５】
請求項１４に記載の発明では、屋外用コンセントを覆い、扉部を有する函体と、
扉部を施錠する施錠手段と、
を備えており、
扉部を施錠した場合には、扉部がプラグ受け部にプラグを抜き差しすることを阻止するように構成されており、
扉部を開いた場合には、プラグ受け部にプラグを抜き差しすることができるように構成されており、
函体が、函体の内部から壁面に所定の固定手段により固定される構造であることを特徴とする。
【００５６】
これによれば、既に壁面に固定された従来の屋外コンセントに対し、後付けできる屋外用コンセントカバーを提供することができる。上記屋外用コンセントカバーは、盗電を低減することができる。
【図面の簡単な説明】
【００５７】
【図１】本発明の第１実施形態による屋外用コンセントの正面図である。
【図２】図１のＡ−Ａ断面図である。
【図３】本発明の第１実施形態による屋外用コンセントの側面拡大図である。
【図４】図１のＤ方向矢視図である。
【図５】図１のＢ−Ｂ断面図である。
【図６】本発明の第１実施形態によるキースイッチの側面図である。
【図７】図６のＥ方向矢視図である。
【図８】遮断時の図６のＦ方向から視た矢視図である。
【図９】通電時の図６のＦ方向から視た矢視図である。
【図１０】本発明の第１実施形態による屋外用コンセントの回路図である。
【図１１】本発明の第２実施形態による屋外用コンセントの側面図である。
【図１２】発明の第２実施形態による屋外用コンセントの回路図である。
【図１３】本発明の第３実施形態による屋外用コンセントの側面図である。
【図１４】本発明の第４実施形態による屋外用コンセントの回路図である。
【図１５】本発明の第５実施形態による屋外用コンセントの回路図である。
【図１６】本発明の第６実施形態による屋外用コンセントの正面図である。
【図１７】本発明の第６実施形態による屋外用コンセントの回路図である。
【図１８】本発明の第７実施形態による屋外用コンセントの正面図である。
【図１９】本発明の第７実施形態による屋外用コンセントの回路図である。
【図２０】本発明の第８実施形態による屋外用コンセントの回路図である。
【図２１】本発明の第９実施形態による屋外用コンセントの回路図である。
【図２２】本発明の第１０実施形態による屋外用コンセントの回路図である。
【図２３】本発明の第１１実施形態による屋外用コンセントの側面図である。
【図２４】本発明の第１２実施形態による屋外用コンセントの正面図である。
【図２５】本発明の第１２実施形態によるカードの正面図である。
【図２６】本発明の第１３実施形態による屋外用コンセントの正面図である。
【図２７】本発明の第１３実施形態による屋外用コンセントの側面図である。
【図２８】本発明の第１４実施形態による屋外用コンセントの正面図である。
【図２９】本発明の第１５実施形態による屋外用コンセントシステムのブロック図である。
【図３０】本発明の第１６実施形態による函体の正面図である。
【発明を実施するための最良の形態】
【００５８】
（第１実施形態）
以下、この発明の実施形態を図面に基づいて説明する。図１は、第１実施形態による屋外用コンセントを示す正面図である。図２は、図１のＡ−Ａ断面図を、図３は、第１実施形態による屋外用コンセントの側面拡大図を、図４は、図１のＤ方向矢視図を、図５は、図１のＢ−Ｂ断面図を示す。
【００５９】
屋外用コンセント１１は、図１、図２に示すように、取付板１３、防水パッキン１５、コンセント本体部１７を備えている。
【００６０】
取付板１３は、図３に示すように、壁１９側からの給電線２１をコンセント本体部１７側へ配線するための開口部１３ａが形成されるとともに、その開口部１３ａの外側には、ねじを挿入する穴部１３ｂが形成されている。上記穴部１３ｂに固定ねじ２３を挿入し、壁１９に埋設されためねじ部材２５にねじ込むことで、取付板１３を壁１９に固定することができる。また、穴部１３ｂの外側には、コンセント本体部１７をねじ固定するめねじ部１３ｃが形成されている。上記取付板１３の材質は、ＡＢＳ樹脂で構成されている。
【００６１】
防水パッキン１５は、壁１９側からの給電線２１をコンセント本体部１７側へ配線するための開口部１５ａが形成されるとともに、その開口部１５ａの外側には、固定ねじ２７を挿入する穴部１５ｂが形成されている。また、防水パッキン１５のコンセント本体部１７側には、コンセント本体部１７のリブ部１７ｂに嵌合する嵌合溝１５ｃが形成されている。コンセント本体部１７のリブ部１７ｂと防水パッキン１５の嵌合溝１５ｃとが嵌合した状態で、コンセント本体部１７が取付板１３に固定されると、リブ部１７ｂと、嵌合溝１５ｃとが密着状態となり、コンセント本体部１７と、防水パッキン１５との間から雨滴が侵入するのを防止することができる。
【００６２】
また、防水パッキン１５の取付板１３側には、外周部およびその内側にリップ部１５ｄ、１５ｅが形成されている。リップ部１５ｄ、１５ｅは、コンセント本体部１７が、防水パッキン１５とともに、取付板１３に固定される際に、リップ部１５ｄ、１５ｅと、壁１９との間が密着状態となり、防水パッキン１５と、壁１９との間から雨滴が侵入するのを防止することができる。上記防水パッキン１５は、合成ゴムで構成されている。
【００６３】
コンセント本体部１７は、第１の開口部１７ａが形成されており、上記第１の開口部１７ａの外周部には、防水パッキン１５の嵌合溝１５ｃと嵌合するリブ部１７ｂが形成されている。また、上記コンセント本体部１７には、第２の開口部１７ｃが、略下向きに形成されている。コンセント本体部１７を取付板１３に固定するには、コンセント本体部１７のリブ部１７ｂと防水パッキン１５の嵌合溝１５ｃとが嵌合した状態で、コンセント本体部１７の外周近傍に形成された段付穴１７ｄ、防水パッキン１５の穴部１５ｂに固定ねじ２７を挿入し、取付板１３のめねじ部１３ｃにねじ込む。第１実施形態のコンセント本体部１７は、本発明の収容体を構成する。
【００６４】
また、コンセント本体部１７の第２の開口部１７ｃには、コ字形のひさし部２９が固定されている。ひさし部２９は、後述するプラグ受け部３１の電源プラグ差込口３１ａに雨水がかかるのを回避するためのものであるが、電源プラグＰを電源プラグ差込口３１ａに差し込む際に目視できるよう、透明または半透明の絶縁性樹脂であることが望ましい。
【００６５】
プラグ受け部３１は、電源プラグ差込口３１ａを備えており、上記電源プラグ差込口３１ａは、図４に示すように、２極プラグ受け部３１ｂ、２極接地極付プラグ受け部３１ｃの２つを備えている。上記プラグ受け部３１は、電源プラグ差込口３１ａが第２の開口部１７ｃに位置するようにコンセント本体部１７に収容され、図示しない係止手段により係止されている。電源プラグＰを電源プラグ差込口３１ａに差し込んでから一定角度回転させると、この電源プラグＰが抜け止めされるようになっている。
【００６６】
なお、上記２極接地極付プラグ受け部３１ｃの接地極は、所定の金属板を介してアース端子部３３まで接続されており、アース端子部３３から接地をすることができる。上記プラグ受け部３１は、電源プラグ差込口３１ａの他に、給電線２１が差し込み接続される給電線差込口３１ｄが配備されている。
【００６７】
また、コンセント本体部１７には、図５に示すように、穴部１７ｅが形成されており、上記穴部１７ｅに、キースイッチ３５が取り付けられている。
【００６８】
キースイッチ３５は、鍵（キー）で電路のオン・オフを行うもので、図６乃至図９に示すように、錠前３７、取付板３９、ストッパーピン４１、４３、リミットスイッチ４５を備えている。錠前３７は、第１実施形態では、シリンダー錠を用いており、外筒部３７ａ、内筒部３７ｂを備えている。なお、シリンダー錠の詳細については公知であるため、省略する。
【００６９】
錠前３７の外筒部３７ａは、コンセント本体部１７の穴部１７ｅに取り付けられており、外筒部３７ａの屋外側端部３７ｃ、屋内側端部３７ｄのうち、屋内側端部３７ｄには取付板３９が取り付けられている。上記取付板３９には、ストッパーピン４１、４３、リミットスイッチ４５が取り付けられている。また、内筒部３７ｂの屋外側端部３７ｅ、屋内側端部３７ｆのうち、屋外側端部３７ｅには、キー４７を挿入する挿入口３７ｇが形成されている。
【００７０】
また、内筒部３７ｂの略中央から屋内側端部３７ｆには、ストッパ４９、板カム５１が嵌合されている。キー４７を内筒部３７ｂに設けられた挿入口３７ｇに挿入し、内筒部３７ｂを回転させて遮断位置および通電位置を切り替えると、それに伴って板カム５１も回転する。上記通電位置は、本発明の第１の錠位置を構成する。上記遮断位置は、本発明の第２の錠位置を構成する。
【００７１】
上記遮断位置は、図７の紙面上方から見て、キー４７の切り欠き部４７ａが、原点Ｏから見てＹ方向にある場合であり、上記通電位置は、図５の紙面上方から見て、キー４７の切り欠き部４７ａが、原点Ｏから見てＸ方向にある場合である。上記遮断位置、上記通電位置では、キー４７を抜き差しすることができる。
【００７２】
ストッパーピン４１、４３は、それぞれストッパ４９の切り欠き部４９ａ、４９ｂに突き当てて、揺動角θ以上に揺動させないものである。
【００７３】
また、板カム５１は、上記錠前３７が通電位置にある場合、リミットスイッチ４５の検出子４５ａを押し込むように形成されている。
【００７４】
リミットスイッチ４５は、リミットスイッチ４５Ａ、リミットスイッチ４５Ｂの２つが用いられており、リミットスイッチ４５Ａ、リミットスイッチ４５Ｂのそれぞれが、コモンポート４５ｂ、ノーマルオープンポート４５ｃ、ノーマルクローズポート４５ｄの３つの端子を備えている。上記リミットスイッチ４５は、遮断位置にてコモンポート４５ｂとノーマルクローズポート４５ｄとが繋がるように構成されており、通電位置にてモンポート４５ｂとノーマルオープンポート４５ｃとが繋がるように構成されている。上記ノーマルクローズポート４５ｄは、絶縁テープ、絶縁チューブ等により絶縁処理がなされている。リミットスイッチ４５、リミットスイッチ４５Ａ、リミットスイッチ４５Ｂは本発明の電路開閉手段を構成する。
【００７５】
次に、屋外用コンセント１１の回路について説明する。なお、以下では、２極プラグ受け部３１ｂおよび２極接地極付プラグ受け部３１ｃのうち、２極プラグ受け部３１ｂを用いて説明する。また、上記２極プラグ受け部３１ｂ側の給電線差込口３１ｄに配設された２つの端子のうち、一方を第１の端子３１ｅ、他方を第２の端子３１ｆと称するものとする。２極接地極付プラグ受け部３１ｃは、図１０に示すように、コンセント本体部１７内で２極プラグ受け部３１ｂと並列接続されている。
【００７６】
図９に示すように、商用電源が主配線用遮断器５３に供給され、子配線用遮断器５５に単層電源が供給される。子配線用遮断器５５は、屋外用コンセント１１用に設けた過負荷時電路遮断手段である。さらに、子配線用遮断器５５から供給された２本の給電線２１の一方が、リミットスイッチ４５Ａのコモンポート４５ｂに接続されている。また、子配線用遮断器５５から供給された２本の給電線２１の他方が、リミットスイッチ４５Ｂのコモンポート４５ｂに接続されている。さらに、リミットスイッチ４５Ａのノーマルオープンポート４５ｃとプラグ受け部３１の第１の端子３１ｅとの間が、給電線５７によって接続され、リミットスイッチ４５Ｂのノーマルオープンポート４５ｃとプラグ受け部３１の第２の端子３１ｆとの間が、給電線５７によって接続されている。
【００７７】
上記構成において、キー４７を内筒部３７ｂに設けられた挿入口３７ｇに挿入し、内筒部３７ｂを回転させて遮断位置から通電位置に切り替えると、板カム５１がリミットスイッチ４５の検出子４５ａを押し込む。その際、リミットスイッチ４５Ａのコモンポート４５ｂと、ノーマルオープンポート４５ｃが繋がって閉状態となり、コモンポート４５ｂからノーマルオープンポート４５ｃ、給電線５７、第１の端子３１ｅまでが接続される。同様に、リミットスイッチ４５Ｂのコモンポート４５ｂと、ノーマルオープンポート４５ｃが繋がって閉状態となり、コモンポート４５ｂからノーマルオープンポート４５ｃ、給電線５７、第２の端子３１ｆまでが接続される。素の結果、電源プラグＰ側に給電することができる。
【００７８】
また、キー４７を内筒部３７ｂに設けられた挿入口３７ｇに挿入し、内筒部３７ｂを回転させて通電位置から遮断位置に切り替えると、板カム５１がリミットスイッチ４５の検出子４５ａの押し込みを止め、検出子４５ａが復帰状態に戻る。その際、リミットスイッチ４５Ａ、４５Ｂのコモンポート４５ｂ−ノーマルオープンポート４５ｃ間が開状態となり、電源プラグ側に給電しない。
【００７９】
上記構成によれば、錠前３７の挿入口３７ｇにキー４７を挿入し、通電位置にすると、電源プラグ差込口３１ａに給電がなされる。また、遮断位置にすると、電源プラグ差込口３１ａへの給電が遮断される。第１実施形態の場合、少なくとも、盗電しようとする者が固定ねじ２７を緩めない限り、キースイッチ３５を遮断位置にしておくことで、盗電を低減することができる。また、従来技術のように、充電制御ＥＣＵとＩＤボックスとの間で認証を行うことなく、キー４７で通電、遮断を行うので、電気自動車だけでなく、電気機器にも給電をすることができる。
【００８０】
また、電源プラグを差し込む手元でキースイッチ３５を操作できるので、従来の屋外用コンセントのように、屋内に設置された子配線用遮断器５５をオンした場合に発生し得る感電事故を防止することができる。
【００８１】
その結果、高価な手段を用いずとも、低コストで、電気の盗難を低減する屋外用コンセントを提供することができる。また、手元で通電、遮電を行うことができるので、感電事故を未然に防ぎ、電気の盗難を低減する屋外用コンセントを提供することができる。
【００８２】
［第２実施形態］
第１実施形態では、盗電しようとする者が上記固定ねじを緩め、コンセント本体部を取り外し、給電線を引っ張り出して盗電する可能性を排除することができなかった。そこで、第２実施形態では、コンセント本体部を取り外すと、給電を停止するようにした。図１１に、給電停止機能が付いた屋外用コンセントの側面図を。図１２に回路図を示す。なお、図１２では、継電器は、電磁石を図示せずに、継電器のリレー接点で示した。
【００８３】
図１１に示すように、第１の実施形態で説明した屋外用コンセント１１に、さらに引き出し状態検出センサ５９、制御装置６１、継電器６３を備えた。引き出し状態検出センサ５９は、壁１９側に設けられており、コンセント本体部１７が固定されているか否かを検出して、検出信号を制御装置６１に送信する。引き出し状態検出センサ５９の種類としては、静電容量型センサ、近接センサ方式、リミットスイッチ等が挙げられる。なお、制御装置６１、継電器６３を駆動する直流電源は、ホームネットワークに用いられる直流電源を用いると、コストの低い屋外用コンセントを実現することができる。
【００８４】
制御装置６１は、引き出し状態検出センサ５９から送信された検出信号を判定して継電器６３を制御する。コンセント本体部１７が固定されている信号であると判定される場合には、子配線用遮断器５５と、コンセント本体部１７との間に設けられた継電器６３を制御して、電路を接続する。また、引き出し状態検出センサ５９から送信された検出信号が、コンセント本体部１７が取り外されている信号であると判断される場合には、上述の継電器６３を制御して、電路を遮断する。継電器６３は、図示しない電磁石によりリレー接点をオン／オフし、子配線用遮断器５５と、コンセント本体部１７との間の電路を接続／遮断する。
【００８５】
上記構成によれば、コンセント本体部１７を取り外し、給電線を引っ張り出した場合、給電されないので、盗電することができない。その結果、電気の盗難を低減する屋外用コンセントを提供することができる。また、従来技術のように、充電制御ＥＣＵとＩＤボックスとの間で認証を行うことなく、キー４７で通電、遮断を行うので、電気自動車だけでなく、電気機器にも給電をすることができる。また、手元で通電、遮電を行うことができるので、感電事故を未然に防ぎ、電気の盗難を低減する屋外用コンセントを提供することができる。
【００８６】
［第３実施形態］
第２実施形態では、本体部着脱検出センサが壁側に設けられたが、本体部着脱検出センサが屋外用コンセント側に設けられてもよい。図１３に示すように、引き出し状態検出センサ５９をコンセント本体部１７側に設け、引き出し状態検出センサ５９が、取付板１３を検出するように構成した。
【００８７】
［第４実施形態］
第２実施形態、第３実施形態では、本体部着脱検出センサを用いて、コンセント本体部を取り外すと、給電を停止するようにしたが、本体部着脱検出センサを用いずに、遮断位置であることを検出して、コンセント本体部への給電を停止するようにしてもよい。
【００８８】
図１４に示すように、通電位置にあるか、遮断位置にあるかを検出する錠位置検出センサ６５を設けた。通電位置にあるか、遮断位置にあるかを検出するには、錠位置検出センサ６５により板カム５１を検出する。錠位置検出センサ６５により、板カム５１が通電位置にあることを検出すると、制御装置６１が子配線遮断器５５と、コンセント本体部１７との間で電路を遮断するように、継電器６３を制御する。また、錠位置検出センサ６５により、板カム５１が遮断位置にあることを検出すると、制御装置６１が子配線遮断器５５と、コンセント本体部１７との間で電路を接続するように、継電器６３を制御する。
【００８９】
上記構成によれば、板カム５１が遮断位置にある場合には、子配線遮断器５５と、コンセント本体部１７との間で電路が遮断されるので、給電線を引っ張り出して盗電する可能性を排除することができる。また、従来技術のように、充電制御ＥＣＵとＩＤボックスとの間で認証を行うことなく、キー４７で通電、遮断を行うので、電気自動車だけでなく、電気機器にも給電をすることができる。また、電源プラグを差し込む手元でキースイッチ３５を操作できるので、従来の屋外用コンセントのように、屋内に設置された子配線用遮断器５５をオンした場合に発生し得る感電事故を防止することができる。その結果、第２実施形態と同様の効果を得ることができる。
【００９０】
［第５実施形態］
図１５に示すように、図１４で示したリミットスイッチ４５Ａ、４５Ｂを設けずに、継電器６３からの給電線２１をプラグ受け部３１の給電線差込口３１ｄに接続するようにしてもよい。
【００９１】
上記構成によれば、板カム５１が通電位置にある場合には、子配線遮断器５５と、コンセント本体部１７との間で電路が遮断されるので、給電線を引っ張り出して盗電する可能性を排除することができる。また、従来技術のように、充電制御ＥＣＵとＩＤボックスとの間で認証を行うことなく、キー４７で通電、遮断を行うので、電気自動車だけでなく、電気機器にも給電をすることができる。また、電源プラグを差し込む手元でキースイッチ３５を操作できるので、従来の屋外用コンセントのように、屋内に設置された子配線用遮断器５５をオンした場合に発生し得る感電事故を防止することができる。その結果、第２実施形態と同様の効果を得ることができる。
【００９２】
［第６実施形態］
第１実施形態乃至請求項４では、コンセント本体部に、プラグ受け部が収容されるとともに、キースイッチが固定されていたが、コンセント本体部とスイッチボックスを設け、コンセント本体部にコンセント本体部を収容し、スイッチボックスにキースイッチを固定してもよい。
【００９３】
図１６に示すように、コンセント本体部１７にプラグ受け部３１を収容するとともに、スイッチボックス６７にキースイッチ３５を固定するようにした。上記コンセント本体部１７、スイッチボックス６７は、図示はしないが、第１実施形態のスイッチボックスと同様に、防水パッキンを挟んで、壁に取り付けられた取付板に固定する。スイッチボックス６７は、コンセント本体部１７にプラグＰを抜き差しすることが視認できる位置に固定される。第６実施形態によるコンセント本体部１７は、本発明の第１の収容体の一例を示す。第６実施形態によるスイッチボックス６７は、本発明の第２の収容体の一例を示す。図１７に、第６実施形態の回路図を示す。
【００９４】
［第７実施形態］
第６実施形態では、盗電しようとする者が上記固定ねじを緩め、コンセント本体部およびスイッチボックスのいずれかを取り外し、給電線を引っ張り出して盗電する可能性を排除することができない。そこで、コンセント本体部およびスイッチボックスのいずれかを取り外したことを、センサで検出して、コンセント本体部への給電を停止してもよい。
【００９５】
図１８に示すように、コンセント本体部１７およびスイッチボックス６７のいずれか一方に、投光センサ６９ａを配置し、他方に受光センサ６９ｂを配置した。コンセント本体部１７およびスイッチボックス６７のいずれかを取り外すと、受光センサ６９ｂが投光センサ６９ａから照射された光を受光できなくなる。制御装置６１は、受光センサ６９ｂが受光不可信号を受信すると、子配線用遮断器５５と、リミットスイッチ４５（スイッチボックス６７）との間に設けられた継電器６３を制御して、電路を遮断する。なお、投光センサ６９ａおよび受光センサ６９ｂは、光電センサ６９を構成する。図１９に第７実施形態の回路図を示す。
【００９６】
上記構成によれば、光電センサ６９（受光センサ６９ｂおよび投光センサ６９ａ）が、コンセント本体部１７およびスイッチボックス６７のいずれかを取り外したことを検出して、給電を停止することができる。その結果、給電線を引っ張り出して盗電する可能性を排除することができる。また、従来技術のように、充電制御ＥＣＵとＩＤボックスとの間で認証を行うことなく、キー４７で通電、遮断を行うので、電気自動車だけでなく、電気機器にも給電をすることができる。また、電源プラグを差し込む手元でキースイッチ３５を操作できるので、従来の屋外用コンセントのように、屋内に設置された子配線用遮断器５５をオンした場合に発生し得る感電事故を防止することができる。その結果、第２実施形態と同様の効果を得ることができる。
【００９７】
［第８実施形態］
第７実施形態では、コンセント本体部およびスイッチボックスのいずれか一方に、投光センサを配置し、他方に受光センサを配置したが、これに替え、図２０に示すように、コンセント本体部１７の着脱を検出する本体部着脱検出センサ７１、スイッチボックス６７の着脱を検出するスイッチボックス着脱検出センサ７３を設けてもよい。上記本体部着脱検出センサ７１は、壁側に設けてもよく、コンセント本体部１７側に設けてもよい。また、上記スイッチボックス着脱検出センサ７３は、壁側に設けてもよく、スイッチボックス６７側に設けてもよい。本体部着脱検出センサ７１、スイッチボックス着脱検出センサ７３の種類としては、静電容量型センサ、近接センサ方式、リミットスイッチ等が挙げられる。本体部着脱検出センサ７１、スイッチボックス着脱検出センサ７３は、本発明の引き出し状態検出手段の一例を示す。
【００９８】
［第９実施形態］
第８実施形態で示した本体部着脱検出センサ、スイッチボックス着脱検出センサに替えて、図２１に示すように、遮断位置であることを検出する錠位置検出センサ６５を設け、遮断位置であることを検出してコンセント本体部１７への給電を停止するようにしてもよい。通電位置にあるか、遮断位置にあるかを検出するには、第２実施形態と同様に、錠位置検出センサ６５により、キースイッチ３５の板カム５１を検出する。
【００９９】
［第１０実施形態］
図２２に示すように、図２１で示したリミットスイッチ４５Ａ、４５Ｂを設けずに、継電器６３からの給電線２１をプラグ受け部３１の給電線差込口３１ｄに接続するようにしてもよい。遮断位置であることを検出する錠位置検出センサ６５により遮断位置であることを検出してコンセント本体部１７への給電を停止する。
【０１００】
［第１１実施形態］
コンセント本体部が、固定ねじによって、屋内側から壁面に固定されるように形成されていてもよい。図２３に示すように、第１実施形態で示したコンセント本体部１７の断付穴１７ｄの替わりに、めねじ穴１７ｆを形成し、屋内側からコンセント本体部１７を固定ねじ７５によって固定するようにした。
【０１０１】
上記構成によれば、屋外側から固定ねじ７５を外すことができない。その結果、給電線を引っ張り出して盗電する可能性を排除する屋外用コンセントを提供することができる。
【０１０２】
［第１２実施形態］
電路開閉手段が、ＲＦＩＤ用読み書き装置と、ＩＤタグを用いたものであってもよい。図２４に示すように、ＲＦＩＤ用読み書き装置７７は、後述するＩＤタグ７９に対して電源を供給するとともに、情報の送受信を行うアンテナ部７７ａと、通信内容の変換や制御装置６１との通信を行う制御部７７ｂから構成されている。ＲＦＩＤ用読み書き装置７７への送電は、直流電源によってなされている。上記ＲＦＩＤ用読み書き装置７７は、本発明のＩＤ情報取得手段を構成する。ＦＩＤ用読み書き装置およびＩＤタグは、ＲＦＩＤ（Ｒａｄｉｏ  Ｆｒｅｇｕｅｎｃｙ  Ｉｄｅｎｔｉｆｉｃａｔｉｏｎ）を構成する。
【０１０３】
一方、読み取り対象となるＩＤタグ７９は、図２５に示すように、カード８１に内蔵されており、メモリとして機能するＩＣチップ部７９ａと通信内容の変換等を行う制御部７９ｂ、ＩＣチップ部７９ａに電源を供給するとともに情報の送受信用のアンテナとして機能するアンテナ部７９ｃから構成されている。
【０１０４】
上記位置情報の読み取りは、次の順序で行われる。第１に、ＲＦＩＤ用読み書き装置７７側のアンテナ部７７ａと、ＩＤタグ７９のアンテナ部７９ｃとが通信できるように、カード８１をＲＦＩＤ用読み書き装置７７に近づける。その際、ＲＦＩＤ用読み書き装置７７側のアンテナ部７７ａから制御信号を含む所定の電波が発信される。第２に、ＩＤタグ７９側のアンテナ部７９ｃが、ＲＦＩＤ用読み書き装置７７からの所定の電波を受信する。その際、ＩＤタグ７９のアンテナ部７９ｃの共振作用により起電力が発生し、ＩＣチップ部７９ａが起動される。第３に、ＩＣチップ部７９ａに記憶された情報を、変調した搬送波に乗せ、ＩＤタグ７９側のアンテナからＲＦＩＤ用読み書き装置７７のアンテナ部７７ａに送信する。第４に、ＲＦＩＤ用読み書き装置７７のアンテナ部７７ａで受信した情報を、ＲＦＩＤ用読み書き装置７７の制御部７７ｂで所定のデータに変換し、制御装置６１へ送信する。
【０１０５】
制御装置６１では、ＩＣチップ部７９ａに記憶された情報が、ＲＦＩＤ用読み書き装置７７に予め登録された特有のデータであることを確認する。制御装置６１は、ＩＣチップ部７９ａに記憶された情報が登録した特有のデータである場合にのみ、プラグ受け部３１に給電するように、継電器６３を制御する。
【０１０６】
上記構成によれば、盗電使用とする者は、仮に同様のカードを持っていたとしても、上記特有のデータを知り得ず、カード８１も所持していないので、盗電を防止することができる。また、従来技術のように、充電制御ＥＣＵとＩＤボックスとの間で認証を行うことなく、ＩＣチップ部７９ａに記憶された情報が、ＲＦＩＤ用読み書き装置７７に予め登録された特有のデータであることを確認して通電、遮断を行うので、電気自動車だけでなく、電気機器にも給電をすることができる。また、従来の屋外用コンセントのように、屋内に設置された子配線用遮断器５５をオンした場合に発生し得る感電事故を防止することができる。その結果、第２実施形態と同様の効果を得ることができる。
【０１０７】
［第１３実施形態］
第１実施形態乃至第７実施形態では、盗電しようとする者が、コンセント本体部を取り外すことができたが、コンセント本体部を固定する固定ねじの取り外しを防止する取り外し防止手段を備えるようにした。図２６、図２７に示すように、屋外用コンセント１１の外側に、屋外用コンセント１１を覆うように、函体８３を設けた。函体８３は、扉部８３ａ、錠前８３ｂを有しており、扉部８３ａを施錠した場合には、プラグ受け部３１にプラグＰを接続することができないように、また、扉部８３ａを開いた場合には、プラグ受け部３１にプラグＰを接続することができるように構成されている。上述した函体８３は、函体８３の内部から固定ねじ８５を穴部８３ｃに挿入し、めねじ部材２５に締め付けることにより固定される。この構成では図２６、図２７に示すように、キースイッチを設けなくともよい。固定ねじ８５は、本発明の固定手段の一例を構成する。固定手段は、扉部８３ａを施錠した場合に函体８３が取り外されないようにすればよく、例えば、壁側からボルトを立てて、ナットで固定するようにしてもよい。
【０１０８】
上記構成によれば、扉部８３ａを施錠した場合、盗電しようとする者が固定ねじ８５を緩めることができないので、低コストで、電気の盗難を低減する屋外用コンセントを提供することができる。また、手元で通電、遮電を行うことができるので、感電事故を未然に防ぎ、電気の盗難を低減する屋外用コンセントを提供することができる。また、キースイッチを設けないので、第４実施形態より、さらに低コストな屋外用コンセントシステムを実現できる。
【０１０９】
［第１４実施形態］
電路開閉手段として、電路を開閉するスイッチを設け、スイッチをカバーするようにしてもよい。図２８に示すように、スイッチ８７を子配線遮断器５５と、コンセント本体部１７との間に設け、電路を開閉する。また、スイッチ８７の外側に、スイッチ８７を覆うように、函体８９を設けた。函体８９は、扉部８９ａ、錠前８９ｂを有しており、扉部８９ａを施錠した場合には、プラグ受け部３１にプラグＰを接続することができないように、また、扉部８９ａを開いた場合には、プラグ受け部３１にプラグＰを接続することができるように構成されている。上述した函体８９は、函体８９の内部から固定ねじ９１を穴部８９ｃに挿入し、壁に埋設された図示しないめねじ部材に締め付けることにより固定される。固定ねじ９１は、本発明の固定手段の一例を構成する。固定手段は、扉部８９ａを施錠した場合に函体８９が取り外されないようにすればよく、例えば、壁側からボルトを立てて、ナットで固定するようにしてもよい。
【０１１０】
上記構成によれば、盗電しようとする者が固定ねじ９１を緩めることができないので、低コストで、電気の盗難を低減する屋外用コンセントを提供することができる。また、手元で通電、遮電を行うことができるので、感電事故を未然に防ぎ、電気の盗難を低減する屋外用コンセントを提供することができる。また、キースイッチを設けないので、低コストな屋外用コンセントを実現できる。
【０１１１】
［第１５実施形態］
図２９に、屋外用コンセントから供給する電力を、太陽光で発電し、供給する屋外用コンセントシステムを示す。上記屋外用コンセントシステム９３は、太陽光発電を行う太陽電池９５、接続箱９７、交流変換装置９９を備えている。接続箱９７は、太陽電池９５の直流系統ごとに配線を接続し、１つにまとめる。交流変換装置９９は、直流電力を交流電力に変換する。上記交流変換装置９９は、システム全体の運転を自動管理することができる。なお、必要に応じ、送信ユニット１０１、画像モニタ１０３を備えてもよい。上記送信ユニット１０１は、交流電力の発電状況等を画像モニタ１０３に送信する。上記画像モニタ１０３は、発電状況等を表示する。
【０１１２】
上記構成によれば、屋外用コンセントから供給する電力を、太陽光で発電し、供給する屋外用コンセントシステムを提供することができる。
【０１１３】
［第１６実施形態］
第１６実施形態は、屋外用コンセントの函体に関するものである。図３１に示すように、屋外用コンセント１１の外側に、屋外用コンセント１１を覆うように、函体１０５を設けた。函体１０５は、扉部１０５ａ、錠前１０５ｂを有しており、扉部１０５ａを施錠した場合には、プラグ受け部３１にプラグＰを接続することができないように、また、扉部１０５ａを開いた場合には、プラグ受け部３１にプラグＰを接続することができるように構成されている。上述した函体１０５は、函体１０５の内部から固定ねじ１０７を穴部１０５ｃに挿入し、壁に埋設された図示しないめねじ部材に締め付けることにより固定される。上記固定ねじ１０７は、本発明の固定手段の一例を構成する。固定手段は、扉部１０５ａを施錠した場合に函体１０５が取り外されないようにすればよく、例えば、壁側からボルトを立てて、ナットで固定するようにしてもよい。
【０１１４】
上記構成によれば、盗電しようとする者が固定ねじ１０７を緩めることができないので、低コストで、電気の盗難を低減する函体を提供することができる。また、手元で通電、遮電を行うことができるので、感電事故を未然に防ぎ、電気の盗難を低減する函体を提供することができる。また、上述した函体１０５は、既存の屋外用コンセントに後付けできるので、新たに、盗電防止用の屋外用コンセントを購入する必要がない。
【０１１５】
［その他の実施形態］
第１２実施形態では、ＲＦＩＤタグの情報をＲＦＩＤ用読み書き装置で読み取り、制御装置で継電器を制御するようにしたが、特定の情報が磁気データとして記憶された磁気カードと、上記磁気カードを読み取る磁気データ読み取り装置とを備え、磁気カードの磁気データを読み取り、制御装置で継電器を制御するようにしてもよい。上記磁気カードは、本発明の磁気情報記憶体を、上記磁気データ読み取り装置は、本発明の磁気情報取得手段を構成する。
【０１１６】
ＲＦＩＤタグは、カードに内蔵されたが、電気自動車のキー、プラグ、携帯電話に内蔵されてもよい。また、ＥＴＣ装置のカード読み取り装置またはＥＴＣ装置のカードと、屋外用コンセントシステムに備えられた制御装置（例えば上述した制御装置）との間で特定の情報を認証して給電するようにしてもよい。電気自動車に備えられたＥＴＣ装置を利用することにより、コストの低減を図ることができる。また、第１２実施形態におけるコンセント本体部、ＲＦＩＤ用読み書き装置は、一体に構成されていてもよい。
【０１１７】
また、上述したキースイッチの錠前は、シリンダー錠でなくともよい。例えば、電子キーであってもよい。また、数字または英文字を入力する入力装置を備え、所定の入力があった場合に制御装置で継電器を制御するようにしてもよい。上記入力装置の操作部は、キーでもよく、タッチパネルであってもよい。
【０１１８】
また、第６実施形態の屋外用コンセント、スイッチボックスは、固定ねじによって、屋内側から壁面に固定されてもよい。
【０１１９】
また、太陽電池で生成された直流電源を、上述した直流電源として用いてもよい。
【符号の説明】
【０１２０】
１１・・・ 屋外用コンセント
１３・・・取付板
１３ａ・・・開口部
１３ｂ・・・穴部
１３ｃ・・・めねじ部
１５・・・防水パッキン
１５ａ・・・開口部
１５ｂ・・・穴部
１５ｃ・・・嵌号溝
１５ｄ・・・リップ部
１５ｅ・・・リップ部
１７・・・コンセント本体部
１７ａ・・・第１の開口部
１７ｂ・・・リブ部
１７ｃ・・・第２の開口部
１７ｄ・・・段付穴
１７ｅ・・・穴部
１７ｆ・・・めねじ穴
１９・・・壁
２１・・・給電線
２３・・・固定ねじ
２５・・・めねじ部材
２７・・・固定ねじ
２９・・・ひさし部
３１・・・プラグ受け部
３１ａ・・・電源プラグ差込口
３１ｂ・・・２極コンセント
３１ｃ・・・２極接地極付コンセント
３１ｄ・・・給電線差込口
３１ｅ・・・第１の端子
３１ｆ・・・第２の端子
３３・・・アース端子部
３５・・・キースイッチ
３７・・・錠前
３７ａ・・・外筒部
３７ｂ・・・内筒部
３７ｃ・・・屋外側端部
３７ｄ・・・屋内側端部
３７ｅ・・・屋外側端部
３７ｆ・・・屋内側端部
３７ｇ・・・挿入口
３９・・・取付板
４１・・・ストッパーピン
４３・・・ストッパーピン
４５・・・リミットスイッチ
４５Ａ・・・リミットスイッチ
４５Ｂ・・・リミットスイッチ
４５ａ・・・検出子
４５ｂ・・・コモンポート
４５ｃ・・・ノーマルオープンポート
４５ｄ・・・ノーマルクローズポート
４７・・・キー
４７ａ・・・切り欠き部
４９・・・ストッパ
４９ａ・・・切り欠き部
４９ｂ・・・切り欠き部
５１・・・板カム
５３・・・主配線遮断器
５５・・・子配線遮断器
５７・・・給電線
５９・・・引き出し状態検出センサ
６１・・・制御装置
６３・・・継電器
６５・・・錠位置検出センサ
６７・・・スイッチボックス
６９・・・光電センサ
６９ａ・・・投光センサ
６９ｂ・・・受光センサ
７１・・・本体部着脱検出センサ
７３・・・スイッチボックス着脱検出センサ
７５・・・固定ねじ
７７・・・ＲＦＩＤ用読み書き装置
７７ａ・・・アンテナ部
７７ｂ・・・制御部
７９・・・ＩＤタグ
７９ａ・・・ＩＣチップ部
７９ｂ・・・制御部
７９ｃ・・・アンテナ部
８１・・・カード
８３・・・函体
８３ａ・・・扉部
８３ｂ・・・錠前
８３ｃ・・・穴部
８５・・・固定ねじ
８７・・・スイッチ
８９・・・函体
８９ａ・・・扉部
８９ｂ・・・錠前
８９ｃ・・・穴部
９１・・・固定ねじ
９３・・・屋外用コンセントシステム
９５・・・太陽電池
９７・・・接続箱
９９・・・交流変換装置
１０１・・・送信ユニット
１０３・・・画像モニタ
１０５・・・函体
１０５ａ・・・扉部
１０５ｂ・・・錠前
１０５ｃ・・・穴部
１０７・・・固定ねじ
Ｐ・・・電源プラグ
θ・・・揺動角
【図１】
2011008947.tif 000003
【図２】
2011008947.tif 000004
【図３】
2011008947.tif 000005
【図４】
2011008947.tif 000006
【図５】
2011008947.tif 000007
【図６】
2011008947.tif 000008
【図７】
2011008947.tif 000009
【図８】
2011008947.tif 000010
【図９】
2011008947.tif 000011
【図１０】
2011008947.tif 000012
【図１１】
2011008947.tif 000013
【図１２】
2011008947.tif 000014
【図１３】
2011008947.tif 000015
【図１４】
2011008947.tif 000016
【図１５】
2011008947.tif 000017
【図１６】
2011008947.tif 000018
【図１７】
2011008947.tif 000019
【図１８】
2011008947.tif 000020
【図１９】
2011008947.tif 000021
【図２０】
2011008947.tif 000022
【図２１】
2011008947.tif 000023
【図２２】
2011008947.tif 000024
【図２３】
2011008947.tif 000025
【図２４】
2011008947.tif 000026
【図２５】
2011008947.tif 000027
【図２６】
2011008947.tif 000028
【図２７】
2011008947.tif 000029
【図２８】
2011008947.tif 000030
【図２９】
2011008947.tif 000031
【図３０】
2011008947.tif 000032